(57)【要約】【課題】従来の容器展示用のＰＯＰ製品では、商品の陳列スペースとは別に展示用のスペースが必要になることがあり、容器の取り付けや交換を行うのが煩わしいなどの不具合があった。【解決手段】所定の構造体Ｂ１に対して着脱可能な装着具１１と、容器Ｃ１を受けて保持する保持体１２を備え、保持体１２が、容器Ｃ１の底部を受ける第１保持部１２Ａと容器Ｃ１の側部を受ける第２保持部１２Ｂを一体的に備えると共に、保持体１２と装着具１１の間に、第１保持部１２Ａを下側にして容器を受ける姿勢と第２保持部１２Ｂを下側にして容器を受ける姿勢とを選択可能にする姿勢変更手段を備えた容器展示用ホルダＨ１とし、商品の陳列棚やボード等の既存の構造体Ｂ１に簡単に装着し得ると共に、容器Ｃ１の取り付けや交換を容易にし、容器Ｃ１の最適な展示姿勢が得られるものとした。【選択図】  図１
2008148817.tif 000002
【特許請求の範囲】
【請求項１】
容器を展示するためのホルダであって、所定の構造体に対して着脱可能な装着具と、容器を受けて保持する保持体を備え、保持体が、容器の底部に対応する第１保持部と容器の側部に対応する第２保持部を一体的に備えると共に、保持体と装着具の間に、第１保持部を下側にして容器を受ける姿勢と第２保持部を下側にして容器を受ける姿勢とを選択可能にする姿勢変更手段を備えたことを特徴とする容器展示用ホルダ。
【請求項２】
姿勢変更手段が、第１保持部と第２保持部との角部外側近傍において装着具に対して保持体を回動可能に連結することで保持体の姿勢を選択可能にした手段であることを特徴とする請求項１に記載の容器展示用ホルダ。
【請求項３】
姿勢変更手段が、装着具に対して保持体を着脱可能に連結することで保持体の姿勢を選択可能にする手段であることを特徴とする請求項１に記載の容器展示用ホルダ。
【請求項４】
保持体と装着具の間に、保持体の上下方向の角度調整を行う角度調整手段を備えたことを特徴とする請求項１〜３のいずれか１項に記載の容器展示用ホルダ。
【請求項５】
保持体の第２保持部が、略平行に延出した一対の保持片を備えていることを特徴とする請求項１〜４のいずれか１項に記載の容器展示用ホルダ。
【請求項６】
第１及び第２の保持部の少なくとも一方の先端部に、容器の縁部を掛止する掛止部を設けたことを特徴とする請求項１〜５のいずれか１項に記載の容器展示用ホルダ。
【請求項７】
第１保持部と第２保持部とが成す角度を９０度未満にしたことを特徴とする請求項１〜６のいずれか１項に記載の容器展示用ホルダ。
【発明の詳細な説明】
【技術分野】
【０００１】
本発明は、とくに、ＰＯＰ製品としてインスタント食品などの容器入りの商品を展示するのに用いられる容器展示用ホルダに関するものである。
【背景技術】
【０００２】
一般に、商品やサービスの宣伝・広告を省スペースで行うことができ、しかも商品を目立たせ、消費者の購買意欲を喚起するためのものとして、いわゆるＰＯＰ製品が種々開発されている。また、近年では、インスタント食品等の商品分野において、容器入りのものが非常に多く開発・販売されており、これらの商品を対象としたＰＯＰ製品として、展示台に容器（商品又はサンプル）を載置するようにしたものや、ボード類に容器を直接固定するようにしたものがあった。
【発明の開示】
【発明が解決しようとする課題】
【０００３】
ところが、上記したような従来の容器展示用のＰＯＰ製品では、展示台を用いたものにあっては、商品の陳列スペースとは別に展示用のスペースが必要になることがあり、ボード類に容器を直接固定するものにあっては、容器の取り付けや交換を行うのが煩わしいなどの不具合があることから、これらの不具合を解決することが要望されていた。
【０００４】
本発明は、上記従来の状況に鑑みて成されたもので、商品の陳列棚やボード等の既存の構造体に簡単に装着することができ、容器の取り付けや交換を容易に行うことができると共に、展示機能に優れた容器展示用ホルダを提供することを目的としている。
【課題を解決するための手段】
【０００５】
本発明の容器展示用ホルダは、容器入りの商品を対象とし、商品の陳列棚やボード類等の所定の構造体において、容器（商品又はサンプル）を展示するためのホルダであって、所定の構造体に対して着脱可能な装着具と、容器を受けて保持する保持体を備え、保持体が、容器の底部を受ける第１保持部と容器の側部を受ける第２保持部を一体的に備えると共に、保持体と装着具の間に、第１保持部を下側にして容器を受ける姿勢と第２保持部を下側にして容器を受ける姿勢とを選択可能にする姿勢変更手段を備えた構成としており、上記構成をもって従来の課題を解決するための手段としている。
【０００６】
また、本発明の容器展示用ホルダは、より好ましい実施形態として、姿勢変更手段が、第１保持部と第２保持部との角部外側近傍において装着具に対して保持体を回動可能に連結することで保持体の姿勢を選択可能にした手段であることを特徴とし、さらに、姿勢変更手段が、装着具に対して保持体を着脱可能に連結することで保持体の姿勢を選択可能にする手段であることを特徴とし、保持体と装着具の間に、保持体の上下方向の角度調整を行う角度調整手段を備えたことを特徴とし、保持体の第２保持部が、略平行に延出した一対の保持片を備えていることを特徴とし、第１及び第２の保持部の少なくとも一方の先端部に、容器の縁部を掛止する掛止部を設けたことを特徴とし、第１保持部と第２保持部とが成す角度を９０度未満にしたことを特徴としている。
【０００７】
なお、本発明の容器展示用ホルダにおける保持体は、その材質がとくに限定されるものではないが、生産性や容器の展示機能を考慮すれば、プラスチック製であると共に、透明なものがより好ましい。
【発明の効果】
【０００８】
本発明の容器展示用ホルダは、装着具と保持体を備えると共に、保持体の姿勢を選択可能にする姿勢変更手段を備えた構成としたことから、装着具により、商品の陳列棚やボード等の既存の構造体に対して簡単に装着することができると共に、保持体により、容器の取り付けや交換を容易に行うことができ、しかも、容器の形態等に応じて、第１及び第２の保持部のうちの一方が下側となるように保持体の姿勢を変更することで、容器の最適な展示姿勢を得ることができ、展示機能に非常に優れたものとなる。
【０００９】
また、本発明の容器展示用ホルダは、装着具に対して保持体を回動可能に連結したことから、簡単な構造で保持体の姿勢を自在に変更することができる。
【００１０】
さらに、本発明の容器展示用ホルダは、装着具に対して保持体を着脱可能に連結したことから、装着具と保持体との様々な組み合わせが可能となり、各種の構造体及び容器に対する汎用性が高められる。
【００１１】
さらに、本発明の容器展示用ホルダは、装着具に対して保持体の上下方向の角度調整を行う角度調整手段を備えたことから、容器の展示姿勢をより詳細に変更することが可能になると共に、内容物を含む比較的重い容器すなわち実際の商品を展示し且つその展示姿勢を維持することが可能になる。
【００１２】
さらに、本発明の容器展示用ホルダは、保持体において、容器の側部を受ける第２保持部が、略平行に延出した一対の保持片を備えたものとしたことから、とくに、直径が異なる複数種の容器に対して、これらの側部を安定して保持することができる。
【００１３】
さらに、本発明の容器展示用ホルダは、第１及び第２の保持部の少なくとも一方の先端部に掛止部を設けたことから、例えば容器を横倒しにして展示する場合でも、容器を不用意に脱落させることなく、安定して保持することができる。
【００１４】
さらに、本発明の容器展示用ホルダは、第１保持部と第２保持部とが成す角度を９０度未満にしたことから、第１保持部及び第２保持部に容器の底部及び側部が必ず接することとなり、底部と側部の成す角度が異なる複数種の容器に対して、これらを確実に且つ安定して保持することができる。
【実施例】
【００１５】
図１及び図２は、本発明の容器展示用ホルダの一実施例を説明する図である。
【００１６】
図示の容器展示用ホルダＨ１は、その材質がとくに限定されるものではないが、商品をより目立たせるものとして例えば透明なプラスチック製であり、所定の構造体Ｂ１に対して着脱可能な装着具１１と、容器Ｃ１を受けて保持する保持体１２を備えており、保持体１２が、容器Ｃ１の底部を受ける第１保持部１２Ａと容器Ｃ１の側部を受ける第２保持部１２Ｂを一体的に備えている。
【００１７】
そして、容器展示用ホルダＨ１は、保持体１２と装着具１１の間に、第１保持部１２Ａを下側にして容器Ｃ１を受ける姿勢（図１に示す姿勢）と第２保持部１２Ｂを下側にして容器Ｃ２を受ける姿勢（図２に示す姿勢）とを選択可能にする姿勢変更手段を備えており、この実施例では、姿勢変更手段が、第１保持部１２Ａと第２保持部１２Ｂの角部外側近傍において装着具１１に対して保持体１２を回動可能に連結することで同保持体１２の姿勢を選択可能にした構成になっている。
【００１８】
この実施例の構造体Ｂ１は、垂直に立てた板状を成している。また、容器Ｃ１は、高さに比べて直径が小さい形状、いわゆるコップ形状のものであって、上端部を大径とし且つ下端部を小径とした概略円柱状を成していて、側面が下向きのテーパ面になっている。
【００１９】
装着具１１は、基板１１ａの正面に、正面側に開放された凹部を有するボール受け１１ｂを備えると共に、基板１１ａの上端部に、背面側へ折り曲げ状態に連続する弾性片１１ｃを備えており、板状の構造体Ｂ１の上端部を基板１１ａと弾性片１１ｃとで挟むようにして、同構造体Ｂ１に装着する。
【００２０】
保持体１２は、容器Ｃ１の底部を受ける平板状の第１保持部１２Ａと、容器Ｃ１の側部を受ける湾曲板状の第２保持部１２Ｂを備えている。このとき、保持体１２は、第１保持部１２Ａの延出長さに比べて第２保持部１２Ｂの延出長さの方が充分に大きくなっており、第２保持部１２Ｂの先端部中央には、容器の縁部を掛止するための掛止部１３が設けてある。また、保持体１２は、第１保持部１２Ａと第２保持部１２Ｂとが成す角度を９０度未満としている。
【００２１】
なお、第１保持部１２Ａと第２保持部１２Ｂとが成す角度は、限りなく小さくし得るものではなく、様々な形態の容器に対して、その底部及び側部に第１及び第２の保持部１２Ａ，１２Ｂが接触して安定した保持状態が得られれば良く、下限の具体例としては７０度程度が挙げられる。
【００２２】
さらに、保持体１２は、第１保持部１２Ａと第２保持部１２Ｂの角部外側に、先端にボール１４ａを有する突起部１４が設けてあり、ボール１４ａを装着具１１のボール受け１１ｂに嵌合する。このとき、装着具１１のボール受け１１ｂと保持体１２のボール１４ａは、適当な摩擦力をもって球面接触している。これにより、保持体１２は、装着具１１に対して回動可能であると共に、任意の回動位置で連結姿勢を維持することができ、装着具１１から取り外すことも可能である。
【００２３】
上記の容器展示用ホルダＨ１は、構造体Ｂ１の上端部に装着具１１を掛けるだけで装着状態となり、商品の陳列棚の縁やボード類などの既存の構造体Ｂ１に対して簡単に装着することができると共に、保持体１２に容器Ｃ１を載置するだけで同容器Ｃ１の展示状態を得ることができ、容器Ｃ１の交換も非常に容易である。
【００２４】
ここで、図１に示すようなコップ形状の容器Ｃ１を用いた商品は、その側面に商標や商品説明などを記載したものが比較的多く、その特徴的な側面が消費者によく見えるように展示するのが望ましい。そこで、当該容器展示用ホルダＨ１は、容器Ｃ１の底部を受ける第１保持部１２Ａが下側となるように、装着具１１に対して保持体１２を回動させて、その回動角度を適宜調整し、コップ形状の容器Ｃ１を立てた状態にして保持する。
【００２５】
また、図２に示すように、高さに比べて直径が大きい形状、いわゆる丼形状の容器Ｃ２を用いた商品は、その蓋に商標、写真及び商品説明などを記載したものが比較的多く、その特徴的な蓋部分が消費者によく見えるように展示するのが望ましい。この場合、当該容器展示用ホルダＨ１は、容器Ｃの側部を受ける第２保持部１２Ｂが下側となるように、装着具１１に対して保持体１２を回動させて、その回動角度を適宜調整し、丼形状の容器Ｃ２を横倒しにした状態にして保持する。
【００２６】
このとき、当該容器展示用ホルダＨ１は、第２保持部１２Ｂの先端に設けた掛止部１３に容器Ｃ２の縁部が掛止した状態となり、容器Ｃ２を不用意に脱落させることなく、安定して保持することができる。
【００２７】
このように、当該容器展示用ホルダＨ１は、保持体１２が、第１保持部１２Ａと第２保持部１２Ｂの角部外側近傍において装着具１１に回動可能に連結してあるので、容器Ｃ１，Ｃ２の形態やアピールしたい部分などに応じて、第１及び第２の保持部１２Ａ，１２Ｂのうちの選択した方が下側となるように保持体１２を回動させることで、各種容器Ｃ１，Ｃ２の最適な展示姿勢を得ることができる。
【００２８】
また、当該容器展示用ホルダＨ１は、第２保持部１２Ｂを湾曲板状にし、第１保持部１２Ａと第２保持部１２Ｂとが成す角度を９０度未満にしたことから、形態が異なる容器Ｃ１，Ｃ２であっても、第１保持部１２Ａ及び第２保持部１２Ｂに容器Ｃ１，Ｃ２の底部及び側部が必ず接することとなり、いずれの容器Ｃ１，Ｃ２も確実に且つ安定して保持することができる。
【００２９】
上記の実施例では、装着具１１のボール受け１１ｂ、保持体１２の突起部１４及びボール１４ａが、第１保持部１２Ａを下側にして容器Ｃ１を受ける姿勢と第２保持部１２Ｂを下側にして容器Ｃ２を受ける姿勢とを選択可能にする姿勢変更手段を構成しており、とくに、第１保持部１２Ａと第２保持部１２Ｂの角部外側近傍において装着具１１に対して保持体１２を回動可能に連結することで同保持体１２の姿勢を選択可能にしている。
【００３０】
図３及び図４は、本発明の容器展示用ホルダの他の実施例を説明する図である。なお、先の実施例と同一の構成部位は、同一符号を付して詳細な説明を省略する。
【００３１】
図示の容器展示用ホルダＨ２は、先の実施例では保持体の第２保持部が湾曲板状であったのに対して、保持体２２の第２保持部２２Ｂが、略平行に延出した一対の保持片２２Ｃ，２２Ｃを備えており、各保持片２２Ｃの先端部に、容器の縁部を掛止する掛止部１３が設けてある。
【００３２】
上記の容器展示用ホルダＨ２は、先の実施例と同様に、図３に示す如く保持体２２の第１保持部２２Ａを下側にした状態にしてコップ形状の容器Ｃ１を立てて保持し、また、図４に示す如く保持体２２の第２保持部２２Ｂを下側にした状態にして丼形状の容器Ｃ２を横倒しにして保持することとなる。
【００３３】
上記の容器展示用ホルダＨ２は、先の実施例と同様の効果を得ることができるうえに、保持体２２の第２保持部２２Ｂが、所定間隔をおいた一対の保持片２２Ｃ，２２Ｃを備えていることから、直径が異なる複数種の容器に対して、これらの側部を安定して保持することができる。
【００３４】
図５〜図８は、本発明の容器展示用ホルダのさらに他の実施例を説明する図である。なお、先の実施例と同一の構成部位は、同一符号を付して詳細な説明を省略する。
【００３５】
図５に示す容器展示用ホルダＨ３は、クリップ状の装着具２１と保持体２２を備えると共に、保持体２２が、平板状の第１保持部２２Ａと、一対の保持片２２Ｃ，２２Ｃから成る第２保持部２２Ｂを備え、保持体２２に設けた突起部１４のボール１４ａと、装着具２１に設けた同様のボール（図示せず）と、ボール１４ａが嵌合する凹部を設けたジョイント１５により、装着具２１に対して保持体２２が回動可能に連結してある。
【００３６】
この実施例では、保持体２２における突起部１４及びボール１４ａ、装着具２１における同様のボールやジョイント１５が、第１保持部２２Ａを下側にして容器Ｃ１を受ける姿勢と第２保持部２２Ｂを下側にして容器Ｃ２を受ける姿勢とを選択可能にする姿勢変更手段を構成しており、とくに、第１保持部２２Ａと第２保持部２２Ｂの角部外側近傍において装着具１１に対して保持体２２を回動可能に連結することで同保持体２２の姿勢を選択可能にしている。
【００３７】
図６に示す容器展示用ホルダＨ４は、保持体１２の第２保持部１２Ｂが湾曲板状である以外は、図５に示すものと同様の構成としたものである。
【００３８】
図７に示す容器展示用ホルダＨ５は、装着具３１が、ボール受け１１ｂを有する第１部材３１Ａと、第１部材３１Ａを貫通する調整ねじ３１Ｂと、調整ねじ３１Ｂに螺合した第２部材３１Ｃを備え、調整ねじ３１Ｂの操作により第１部材３１Ａと第２部材３１Ｃの間隔を調整できるようになっている。また、保持体１２における第２保持部１２Ｂの先端部両側に掛止部１３，１３が設けてある。この容器展示用ホルダＨ４は、棚板状の構造体Ｂ２の先端部を第１部材３１Ａと第２部材３１Ｃとで挟持した状態にして同構造体Ｂ２に装着する。
【００３９】
図８に示す容器展示用ホルダＨ６は、装着具４１が、磁石を内蔵した本体部４１Ａと、ストッパ４１Ｂにより任意の回動位置で拘束可能な水平軸４１Ｃを備え、保持体１２に設けた突起部１４のボール１４ａと、装着具４１の水平軸４１Ｃに設けた同様の突起部１４と、ボール１４ａが嵌合する凹部を設けたジョイント１５により、装着具４１に対して保持体１２が回動可能に連結してある。この容器展示用ホルダＨ６は、磁石が吸着可能な金属製の構造体Ｂ３に装着具４１を付けることで同構造体Ｂ３に装着する。
【００４０】
上記の実施例では、装着具４１におけるストッパ４１Ｂ及び水平軸４１Ｃが、保持体１２の上下方向の角度調整を行う角度調整手段を構成しており、これにより、保持体１２の姿勢を決定した後においても保持体１２及び容器Ｃ１の展示姿勢をより詳細に変更することが可能となる。
【００４１】
上記の図５〜図８に示す容器展示用ホルダＨ３〜Ｈ６にあっても、先の各実施例と同様の効果を得ることができる。
【００４２】
図９に示す容器展示用ホルダＨ７は、基本的に図８に示すものと同様の構成を有しており、水平軸４１に、これと直交する軸線回りに回動可能な突起部１４を設け、この突起部１４と保持体１１とを連結したものである。この容器展示用ホルダＨ７にあっても、先の各実施例と同様の効果を得ることができる。
【００４３】
上記の実施例では、回動する突起部１４が、第１保持部１２Ａを下側にして容器Ｃ１を受ける姿勢（図（ａ）に示す姿勢）と第２保持部１２Ｂを下側にして容器Ｃ２を受ける姿勢（図（ｂ）に示す姿勢）とを選択可能にする姿勢変更手段を構成しており、とくに、第１保持部１２Ａと第２保持部１２Ｂの角部外側近傍において装着具４１に対して保持体１２を回動可能に連結することで同保持体１２の姿勢を選択可能にしている。また、装着具４１におけるストッパ４１Ｂ及び水平軸４１Ｃが、保持体１２の上下方向の角度調整を行う角度調整手段を構成している。
【００４４】
なお、図８及び図９に示す容器展示用ホルダＨ６，Ｈ７では、装着具４１において、本体部４１Ａと水平軸４１Ｃの端部との間に、水平軸４１Ｃの軸線方向に浅く係脱するスプライン機構を設けることができる。この場合には、スプライン機構とストッパ４１Ｂにより、任意の回動位置で水平軸４１Ｃをより強固に拘束することができる。これにより、内容物を含む比較的重い容器すなわち実際の商品を展示することができ、その展示姿勢を確実に維持し得るものとなる。
【００４５】
図１０に示す容器展示用ホルダＨ８は、図１に示すものと類似した装着具５１と保持体１２を備えている。装着具５１は、基板５１ａや弾性片５１ｃを有すると共に、基板５１ａの正面に、軸線を水平横方向としたスプラインシャフト５１ｄが片持ち状態で設けてある。他方、保持体１２には、第１保持部１２Ａと第２保持部１２Ｂとの角部に、突起部１４が設けてあると共に、この突起部１４に、両側に開放されたスプライン筒１６が設けてある。
【００４６】
上記の容器展示用ホルダＨ８は、スプラインシャフト５１ｄとスプライン筒１６とが軸線方向に係脱自在であって、係合状態において軸線回りの回転を規制する。そして、図１０（ｂ）に示す如くスプラインシャフト５１ｄからスプライン筒１６を外した状態において、保持体１２の姿勢を選択し、スプラインシャフト５１ｄに対してスプライン筒１６をその一端部から係合することで、図１０（ａ）に示す如く第１保持部１２Ａを下側にして容器Ｃ１を受ける姿勢となり、また、スプラインシャフト５１ｄに対してスプライン筒１６をその逆の他端部から係合することで、図１０（ｃ）に示す如く第２保持部１２Ａを下側にして容器Ｃ１を受ける姿勢となる。
【００４７】
つまり、この実施例では、装着具５１におけるスプラインシャフト５１ｄ、保持体１２における突起部１４及びスプライン筒１６が、第１保持部１２Ａを下側にして容器Ｃ１を受ける姿勢（図（ａ）に示す姿勢）と第２保持部１２Ｂを下側にして容器Ｃ２を受ける姿勢（図（ｂ）に示す姿勢）とを選択可能にする姿勢変更手段を構成しており、とくに、装着具５１に対して保持体１２を着脱可能に連結することで同保持体１２の姿勢を選択可能にしたものである。
【００４８】
また、スプラインシャフト５１ｄ及びスプライン筒１６が、保持体１２の上下方向の角度調整を行う角度調整手段を構成しており、これにより図９に示す実施例と同様の効果を得ることができる。
【００４９】
図１１に示す容器展示用ホルダＨ９は、図１に示すものと類似した装着具６１と保持体１２を備えている。装着具６１は、基板６１ａや弾性片６１ｃを有すると共に、基板６１ａの正面に、軸線を水平横方向としたラチェット機構６１ｄが設けてあり、このラチェット機構６１ｄにより回動可能な係合板６１ｅを備えている。他方、保持体１２には、第１保持部１２Ａと第２保持部１２Ｂの夫々に、係合板６１ｅが係脱可能な係合部１７ａ，１７ｂが設けてある。
【００５０】
ラチェット機構６１ｄは、詳細な図示は省略したが、基板６１ａ側に、円周方向に凹凸を配置した爪板を設けると共に、係合板６１ｅ側に、爪板に係合する爪を有する弾性片を設け、この弾性片が弾性変形する程度の力で爪板と弾性片を相対的に回転させることが可能であると共に、任意の回転位置を維持し得るものである。
【００５１】
上記の容器展示用ホルダＨ８は、装着具６１の係合板６１ｅと、選択した係合部１７ａ，１７ｂとを係合させることで、保持体１２の姿勢を変更し、容器Ｃ１を安定して保持し得るものであり、先の各実施例と同様の効果を得ることができる。
【００５２】
つまり、この実施例では、装着具６１における係合板６１ｅ、及び保持体１２における係合部１７ａ，１７ｂが、第１保持部１２Ａを下側にして容器Ｃ１を受ける姿勢（図（ａ）に示す姿勢）と第２保持部１２Ｂを下側にして容器Ｃ２を受ける姿勢（図（ｂ）に示す姿勢）とを選択可能にする姿勢変更手段を構成しており、とくに、装着具６１に対して保持体１２を着脱可能に連結することで同保持体１２の姿勢を選択可能にしたものである。
【００５３】
また、ラチェット機構６１ｄが、保持体１２の上下方向の角度調整を行う角度調整手段を構成しており、これにより図９及び図１０に示す実施例と同様の効果を得ることができる。
【００５４】
なお、本発明の容器展示用ホルダは、その詳細な構成が上記の各実施例に限定されるものではなく、本発明の要旨を逸脱しない範囲で装着具及び保持体の素材や細部を適宜変更することが可能であり、例えば、保持体の第１及び第２の保持部に滑り止めを設けることなども有効である。
【００５５】
また、本発明の容器展示用ホルダは、装着具に対して保持体を着脱可能にして、各実施例で説明した装着具と保持体とを組み合わせることも良く、これにより各種の構造体及び容器に対する汎用性が高められる。さらに、適用する容器にあってもコップ形状や丼形状に限らず、皿形状や矩形状などの他の形状の容器にも充分適用可能である。
【図面の簡単な説明】
【００５６】
【図１】本発明の容器展示用ホルダの一実施例を説明する図であって、コップ形状の容器を保持した状態を示す側面図（ａ）及び斜視図（ｂ）である。
【図２】図１に示す容器展示用ホルダで丼形状の容器を保持した状態を示す側面図（ａ）及び斜視図（ｂ）である。
【図３】本発明の容器展示用ホルダの他の実施例を説明する図であって、コップ形状の容器を保持した状態を示す側面図（ａ）及び斜視図（ｂ）である。
【図４】図３に示す容器展示用ホルダで丼形状の容器を保持した状態を示す側面図（ａ）及び斜視図（ｂ）である。
【図５】本発明の容器展示用ホルダのさらに他の実施例を説明する斜視図である。
【図６】本発明の容器展示用ホルダのさらに他の実施例を説明する斜視図である。
【図７】本発明の容器展示用ホルダのさらに他の実施例を説明する斜視図である。
【図８】本発明の容器展示用ホルダのさらに他の実施例を説明する斜視図である。
【図９】本発明の容器展示用ホルダのさらに他の実施例を説明する斜視図である。
【図１０】本発明の容器展示用ホルダのさらに他の実施例を説明する斜視図である。
【図１１】本発明の容器展示用ホルダのさらに他の実施例を説明する斜視図である。
【符号の説明】
【００５７】
Ｂ１〜Ｂ３              構造体
Ｃ１  Ｃ２              容器
Ｈ１〜Ｈ９              容器展示用ホルダ
１１  ２１  ３１  ４１  装着具
１１ｂ                  ボール受け（姿勢変更手段）
１２  ２２              保持体
１２Ａ  ２２Ａ          第１保持部
１２Ｂ  ２２Ｂ          第２保持部
１３                    掛止部
１４                    突起部（姿勢変更手段）
１４ａ                  ボール（姿勢変更手段）
１５                    ジョイント（姿勢変更手段）
１６                    スプライン筒（姿勢変更手段，角度調整手段）
１７ａ  １７ｂ          係合部（姿勢変更手段）
２２Ｃ                  保持片
４１Ｂ                  ストッパ（角度調整手段）
４１Ｃ                  水平軸（角度調整手段）
５１ｄ                  スプラインシャフト（姿勢変更手段，角度調整手段）
６１ｄ                  ラチェット機構（角度調整手段）
６１ｅ                  係合板（姿勢変更手段）
【図１】
2008148817.tif 000003
【図２】
2008148817.tif 000004
【図３】
2008148817.tif 000005
【図４】
2008148817.tif 000006
【図５】
2008148817.tif 000007
【図６】
2008148817.tif 000008
【図７】
2008148817.tif 000009
【図８】
2008148817.tif 000010
【図９】
2008148817.tif 000011
【図１０】
2008148817.tif 000012
【図１１】
2008148817.tif 000013